(57)【特許請求の範囲】
【請求項１】
体内に挿入される略直線状の挿入部と、
この挿入部の基端部から外部側に延出されるケーブル部と、
前記ケーブル部が挿通されるケーブル保持部本体と、前記ケーブル保持部本体の先端部に配置され、前記挿入部の基端部と係脱可能に係合する係合部とを有し、前記ケーブル保持部本体の内部に挿通された前記ケーブル部の延出軸方向を前記挿入部の軸方向とは異なる軸上に規制可能で、かつ前記ケーブル部の形状を保持固定するケーブル保持手段と
を具備し、
前記ケーブル保持手段は、前記挿入部の後端に連結され、前記挿入部の軸方向に対し、屈曲された円弧形状の硬性部と前記係合部とが同一の湾曲方向に重なり合う状態で係合して前記ケーブル部の延出軸方向を前記挿入部の軸方向に対し所定の湾曲角度に向けた状態に規制する第１の連結状態と、前記挿入部から延出される前記ケーブル部の延出軸方向を前記挿入部の軸方向に対し略平行に延出させた状態に規制する第２の連結状態とのいずれか一方に選択的に連結することで、前記ケーブル部の延出方向を異なる方向に向けた固定形状に規制することを特徴とする内視鏡。
【発明の詳細な説明】
【０００１】
【発明の属する技術分野】
本発明は、主に手術用顕微鏡下で使用される内視鏡に関する。
【０００２】
【従来の技術】
一般に、特に脳神経外科などでは、手術用顕微鏡を用いて術部を拡大観察しながら微細手術を行う場合がある。近年、手術用顕微鏡では観察できない死角部分を内視鏡で観察しながら処置を行う術式が普及してきた。このような場合、顕微鏡での観察下において内視鏡を使用する。そして、手術時には内視鏡は術者が手で保持し、顕微鏡観察下で術部へ誘導したり、内視鏡での観察部位を変更する操作が行われる。
【０００３】
また、例えば特開平１１−１５５７９８号公報（先行例１）には、内視鏡保持アームなどの内視鏡固定具により内視鏡を保持固定し、顕微鏡観察下で処置具等を術部へ誘導した後、顕微鏡では観察できない死角部位を内視鏡観察下で処置する装置が示されている。さらに、この装置では内視鏡の挿入部に屈曲部分を設け、この屈曲部分よりも先端側の第１部分と、後端側（手元側）の第２部分とにそれぞれリレー光学系を設け、第１部分のリレー光学系と、第２部分のリレー光学系とを交差させるようにしている。これにより、内視鏡の挿入部の全体形状が屈曲した構成としている。そのため、顕微鏡下で内視鏡を操作する際に、内視鏡が顕微鏡と干渉しにくく、また顕微鏡の視野を妨げない。
【０００４】
また、特願２０００−３２２６９号（先行例２）には、内視鏡に内視鏡保持アームなどの内視鏡固定具が取り付け可能な固定部を設け、この固定部に術者が内視鏡を手で把持する把持具を着脱自在に取付ける構成が示されている。ここでは術者が内視鏡を手で操作する場合には内視鏡に把持具を装着することで術者が内視鏡を手で持ちやすい形状となる。さらに、内視鏡固定具に内視鏡を固定する場合は、把持具を内視鏡から外し、内視鏡固定具を固定部に取り付けることで内視鏡固定具に固定した場合、顕微鏡に干渉しにくく顕微鏡操作の邪魔にならない。
【０００５】
また、内視鏡の挿入部を術部へ挿入する際、術部に挿入される部分は術部に挿入されない部分に比べて温度が高くなる。そのため、術部に挿入される高温度の部分と術部に挿入されない低温度の部分との温度差により、雰囲気中の水蒸気が挿入部の観察光学系に付着して曇りが発生し、観察に支障をきたす。
【０００６】
そこで、特開平８−１３６８３１号公報（先行例３）では、術部へ照明光を導く第１のライトガイドと、この第１のライトガイドとは別に、内視鏡の挿入部先端部材まで、照明光の一部を導く第２のライトガイドとを設けている。そして、第２のライトガイドの照明光により先端部材が加温され、術部と内視鏡の温度差による観察光学系の曇りが防止できるようにしている。
【０００７】
また、特開昭５７−１１７８２１号公報（先行例４）には、内視鏡の挿入部が挿入可能な保温装置が示されている。この保温装置には内視鏡の挿入部を電気的に保温する保温部材が設けられている。そして、この保温装置に内視鏡の挿入部を挿入することにより、挿入部が保温され、術部と内視鏡の温度差による観察光学系の曇りが防止できるようにしている。
【０００８】
【発明が解決しようとする課題】
上述したように顕微鏡下で内視鏡を操作する場合には、内視鏡を術者が手で把持して、顕微鏡観察下で術部へ誘導する。また、内視鏡保持アームなどの内視鏡固定具に内視鏡を保持固定し、顕微鏡観察下で処置具等を術部へ誘導した後、内視鏡観察下で処置を行う。従って、内視鏡を術部へ誘導する際には、内視鏡を術者が手で把持しやすく、また処置等をする際には、内視鏡が術部での操作の邪魔にならない必要がある。
【０００９】
先行例１では、術者が内視鏡の観察方向を変更する場合、術者が被把持部を保持して内視鏡の挿入部の軸回り方向に内視鏡を回転させるようになっている。しかし、先行例１の内視鏡では、被把持部が挿入部の先端側の第１部分に対し異なる方向で、且つ離れた位置に設けられているため、術者が観察方向を変更するには、被把持部を挿入軸回りに大きく回転させる必要がある。そのため、被把持部の移動量が大きくなるので、操作しにくい問題がある。また、様々な手術機器が用いられる手術室では、患者に対する術者の位置も制限される場合も多い。そのため、術者が内視鏡の観察方向を変更する度に把持部の位置が大きく変わることは、把持部自体が手術の邪魔になり、手術の効率を落とす問題がある。
【００１０】
先行例２では、術者が内視鏡を手で把持して使用する際に使用する、把持部を内視鏡に着脱自在に設けたため、内視鏡を保持し観察方向を変更する場合の操作性は改善されている。また、内視鏡保持アームなどの内視鏡保持具に保持する際には把持部を外し、顕微鏡側への突出を最小限にすることで、顕微鏡下で使用した場合でも、顕微鏡に干渉しにくく、且つ操作性が良い。しかし、先行例２では、把持部を外した状態でも、挿入部に対し、ケーブル部の突出方向が略平行である構成のため、常にケーブル部が顕微鏡側に突出してしまうので、ケーブル部が顕微鏡に干渉して顕微鏡の操作を妨げるおそれがある。さらに、内視鏡固定具などに内視鏡を固定して、顕微鏡観察下で内視鏡の挿入部近傍から、内視鏡の挿入部先端まで処置具等を術部に導く場合には、術者は常にケーブル部を避けながら処置具等を操作する必要がある。そのため、その操作が行い難いので、術者の疲労を増大させる問題がある。また、内視鏡観察下で処置等の作業をする場合も、常にケーブル部の位置が安定しないため、術者は手術作業中にケーブル部が手に引っ掛かるおそれがないかを注意して慎重に作業を進める必要があるので、手術時間が長くなる問題がある。
【００１１】
先行例３は、内視鏡自体に挿入部先端部材を保温する保温機能を設けているため、専用の内視鏡を作成する必要があり、内視鏡自体が高価となる。また、通常の手術では、挿入方向に対して観察方向が異なる内視鏡（つまり斜視方向が異なる内視鏡）を数種類用いるが、その全てに保温機能を付ける必要があり、システムとしても非常に高価となる問題がある。
【００１２】
先行例４では、内視鏡の挿入部を保温するための専用装置が必要となるので、システム全体の構成が複雑になり、高価となる問題がある。
【００１３】
本発明は上記事情に着目してなされたもので、その目的は、顕微鏡下で内視鏡を使用する際に、操作がし易い内視鏡を提供することにある。
【００１５】
【課題を解決するための手段】
請求項１の発明は、体内に挿入される略直線状の挿入部と、この挿入部の基端部から外部側に延出されるケーブル部と、前記ケーブル部が挿通されるケーブル保持部本体と、前記ケーブル保持部本体の先端部に配置され、前記挿入部の基端部と係脱可能に係合する係合部とを有し、前記ケーブル保持部本体の内部に挿通された前記ケーブル部の延出軸方向を前記挿入部の軸方向とは異なる軸上に規制可能で、かつ前記ケーブル部の形状を保持固定するケーブル保持手段とを具備し、前記ケーブル保持手段は、前記挿入部の後端に連結され、前記挿入部の軸方向に対し、屈曲された円弧形状の硬性部と前記係合部とが同一の湾曲方向に重なり合う状態で係合して前記ケーブル部の延出軸方向を前記挿入部の軸方向に対し所定の湾曲角度に向けた状態に規制する第１の連結状態と、前記挿入部から延出される前記ケーブル部の延出軸方向を前記挿入部の軸方向に対し略平行に延出させた状態に規制する第２の連結状態とのいずれか一方に選択的に連結することで、前記ケーブル部の延出方向を異なる方向に向けた固定形状に規制することを特徴とする内視鏡である。
そして、本請求項１の発明では、ケーブル保持手段を挿入部の基端部と係脱可能に係合させることにより、挿入部から延出されるケーブル部の延出軸方向を前記挿入部の軸方向に対し、屈曲された円弧形状の硬性部と前記係合部とが同一の湾曲方向に重なり合う状態で係合して前記ケーブル部の延出軸方向を前記挿入部の軸方向に対し所定の湾曲角度に向けた状態に規制する第１の連結状態や、前記挿入部から延出される前記ケーブル部の延出軸方向を前記挿入部の軸方向に対し略平行に延出させた状態に規制する第２の連結状態のいずれか一方に選択的に連結させた状態で、ケーブル部の延出軸方向を前記挿入部の軸方向とは異なる方向に向けた固定形状に規制するようにしたものである。
【００１７】
【発明の実施の形態】
以下、本発明の第１の実施の形態を図１乃至図６を参照して説明する。図１は本実施の形態の内視鏡１のシステム全体の概略構成を示すものである。この内視鏡１には、体内に挿入される硬質の挿入部２が設けられている。この挿入部２には細長い略直線状の直管部３ａと、この直管部３ａの後端に連結され、この直管部３ａの軸方向に対し、略９０°の方向に屈曲された略円弧形状の硬性部３ｂとが一体で設けられている。
【００１８】
また、挿入部２の先端部には直管部３ａの軸方向に対し、斜めに切欠された傾斜面２ａが形成され、この傾斜面２ａに図示しない対物光学系や、術部Ｐに照明光を照射する図示しない照明光学系が配設されている。さらに、挿入部２の内部には直管部３ａの先端の傾斜面２ａの図示しない対物光学系からの観察像を伝達するイメージガイドファイバなどの像伝達手段及び挿入部２の先端の傾斜面２ａの図示しない照明光学系に照明光を伝達するライトガイドファイバなどの照明光伝達手段を内蔵した可撓性を有するケーブル部４が配設されている。このケーブル部４の基端部側は、硬性部３ｂの後端側から外部側に延出されている。
【００１９】
また、ケーブル部４の後端にはイメージガイドコネクタ５及びライトガイドコネクタ６が設けられている。ここで、イメージガイドコネクタ５には図示しないイメージガイドファイバ等による像伝達手段の基端部が連結されている。さらに、ライトガイドコネクタ６には図示しないライトガイドファイバ等による照明光伝達手段の基端部が連結されている。
【００２０】
また、挿入部２には後述するケーブル保持部１２の取付部である同一形状を有する２つの取付穴７ａ，７ｂが設けられている。ここで、一方の取付穴７ａは硬性部３ｂの後端部に配置され、他方の取付穴７ｂは硬性部３ｂの前端部に配置されている。
【００２１】
さらに、イメージガイドコネクタ５はテレビカメラ装置８に接続されている。このテレビカメラ装置８には表示手段であるモニタ９が接続されている。そして、挿入部２の先端の傾斜面２ａの図示しない対物光学系からイメージガイドケーブル等による像伝達手段を介して伝達された術部Ｐの観察像がテレビカメラ装置８によって撮像され、更に、テレビカメラ装置８からの出力信号がモニタ９に入力されてモニタ９に術部Ｐの観察像が表示されるようになっている。
【００２２】
また、ライトガイドコネクタ６は照明光供給手段である光源装置１０に接続されている。そして、光源装置１０からの照明光が図示しないライトガイドファイバ等による照明光伝達手段を介して挿入部２の先端の傾斜面２ａの図示しない照明光学系に伝達され、術部Ｐに照明光が照射されるようになっている。
【００２３】
また、図２（Ａ），（Ｂ）は本実施の形態の内視鏡１を手術用顕微鏡１１の観察下で使用している状態を示すものである。ここで、手術用顕微鏡１１は接眼部１１ａ、対物部１１ｂ、変倍光学系を有し、３次元的に移動可能な図示しないアームに保持されている。
【００２４】
さらに、本実施の形態の内視鏡１には挿入部２の基端部と係脱可能に係合し、ケーブル部４の延出方向を挿入部２の軸方向とは異なる方向に変更可能で、かつケーブル部４の形状を保持固定するケーブル保持手段であるケーブル保持部１２が取り付けられている。このケーブル保持部１２には、略円管状のケーブル保持部本体１２ａが設けられている。このケーブル保持部本体１２ａの一端部には内視鏡１の取付部となる略Ｊ字状に屈曲された屈曲部１３が設けられている。この屈曲部１３は内視鏡１の挿入部２における硬性部３ｂの屈曲部分と略相似形状に形成されている。
【００２５】
また、ケーブル保持部本体１２ａにおけるＪ字状の屈曲部１３の内側部分には図３（Ａ）に示すように内視鏡１の硬性部３ｂを取付ける取付溝１４が形成されている。この取付溝１４の溝幅は内視鏡１の挿入部２における硬性部３ｂが挿入可能な大きさに形成されている。
【００２６】
さらに、ケーブル保持部本体１２ａにおける取付溝１４の周囲の溝壁部には図３（Ａ）中で、取付溝１４の開口方向と略９０°の方向に２つのねじ穴１５ａ，１５ｂが形成されている。これらのねじ穴１５ａ，１５ｂは内視鏡１の挿入部２における硬性部３ｂの２つの取付穴７ａ，７ｂとそれぞれ対応する位置に配置されている。
【００２７】
そして、ケーブル保持部１２は図２（Ａ）に示すようにＪ字状の屈曲部１３の先端部に内視鏡１の挿入部２における硬性部３ｂの端末部のみが挿入された第１の連結状態、または、図２（Ｂ）に示すようにＪ字状の屈曲部１３全体に内視鏡１の挿入部２における硬性部３ｂ全体が挿入された第２の連結状態のいずれかの状態で着脱可能に取付けられるようになっている。ここで、図２（Ａ）に示す第１の連結状態ではケーブル保持部本体１２ａにおける取付溝１４の開口方向から内視鏡１の挿入部２における硬性部３ｂの端末部が挿入された状態で、ケーブル保持部本体１２ａのねじ穴１５ａに外側から固定ねじ１６が螺挿されるようになっている。このとき、固定ねじ１６の先端部１６ａは硬性部３ｂの取付穴７ａに嵌まり込むことにより、ケーブル保持部１２が内視鏡１の挿入部２における硬性部３ｂの端末部に取付けられている。
【００２８】
さらに、図２（Ｂ）に示す第２の連結状態ではケーブル保持部本体１２ａにおける取付溝１４の開口方向から内視鏡１の挿入部２における硬性部３ｂ全体が挿入された状態で、ケーブル保持部本体１２ａの２つのねじ穴１５ａ，１５ｂに外側から固定ねじ１６がそれぞれ螺挿されるようになっている。このとき、固定ねじ１６の先端部１６ａは硬性部３ｂの２つの取付穴７ａ，７ｂにそれぞれ嵌まり込むことにより、ケーブル保持部１２の屈曲部１３全体が内視鏡１の挿入部２における硬性部３ｂ全体に取付けられている。
【００２９】
また、ケーブル保持部１２には全長に渡り、取付溝１４と同一方向に開口を有するケーブル挿入溝１７が形成されている。このケーブル挿入溝１７は図３（Ｂ）に示すように取付溝１４よりも溝幅が狭く、内視鏡１のケーブル部４のみが挿通可能になっている。さらに、ケーブル保持部１２の内部には内視鏡１のケーブル部４が配置可能な空間部１２ｂがケーブル挿入溝１７と連通状態で形成されている。
【００３０】
また、図４は本実施の形態の内視鏡１を内視鏡保持アーム１８などの内視鏡固定具に固定した状態を示すものである。この内視鏡保持アーム１８は複数のアーム１９が関節部２０を介してそれぞれ回動可能に連結された多関節アームによって形成されている。
【００３１】
さらに、この内視鏡保持アーム１８の基端部には図示しない手術台に固定される固定部が設けられている。また、内視鏡保持アーム１８の最先端位置のアーム１９の先端部には内視鏡１の硬性部３ｂに固定可能な周知のクランプ機構部２１が配設されている。そして、この内視鏡保持アーム１８によって内視鏡１を３次元的に移動し、任意の移動位置で固定可能になっている。
【００３２】
また、本実施の形態の内視鏡１は図５に示すように挿入部２の基端部にケーブル保持部１２を取付けた状態でも内視鏡保持アーム１８などの内視鏡固定具に固定可能になっている。ここで、ケーブル保持部１２における内視鏡１の取付部とは反対側の端部には、内視鏡保持アーム１８に固定可能な固定部２２が設けられている。
【００３３】
また、図６は内視鏡１を保管する内視鏡保管器具（内視鏡保持手段）２３を示すものである。この内視鏡保管器具２３には有底筒状の保管器具本体２４が設けられている。この保管器具本体２４の上面には内視鏡１の挿入部２が挿入可能な小径な開口部２５が形成されている。さらに、この保管器具本体２４の内底部には光反射手段である略円錐形状の反射部２６が配設されている。この反射部２６は内視鏡保管器具２３に内視鏡１の挿入部２が挿入された際に内視鏡１の挿入部２の先端の照明光出射端が配置された傾斜面２ａと略平行に配置されている。そして、内視鏡１を使用しない場合にはこの内視鏡保管器具２３に内視鏡１の挿入部２を挿入させた状態で保管するようになっている。
【００３４】
次に、上記構成の作用について説明する。本実施の形態の内視鏡１の使用時に術者が内視鏡１を手で保持して内視鏡１の観察方向および位置を変更する操作をする場合には、予め挿入部２の基端部にケーブル保持部１２が取り付けられる。このとき、術者はケーブル保持部１２のケーブル挿入溝１７にケーブル部４を挿入し、ケーブル部４を空間部１２ｂに配置する。
【００３５】
続いて、図２（Ａ）に示すように挿入部２の直管部３ａの軸方向に対しケーブル保持部１２を略平行に向けた状態で、硬性部３ｂをケーブル保持部１２の取付溝１３に嵌め込む。この状態で、ケーブル保持部本体１２ａのねじ穴１５ａに外側から螺挿した固定ねじ１６を締め付けることにより、固定ねじ１６の先端部１６ａを硬性部３ｂの取付穴７ａに嵌め込む。これにより、ケーブル保持部１２を図２（Ａ）に示すようにＪ字状の屈曲部１３の先端部に内視鏡１の挿入部２における硬性部３ｂの端末部のみを挿入させた第１の連結状態で内視鏡１とケーブル保持部１２とが固定される。この時、ケーブル部４は挿入部２の直管部３ａの軸方向に沿って後方に延出される。
【００３６】
この状態で、手術用顕微鏡１１と組み合わせて本実施の形態の内視鏡１が使用される。このとき、術者は内視鏡１に一体化されたケーブル保持部１２を保持し、手術用顕微鏡１１で内視鏡１の挿入部２の先端部を観察しながら内視鏡１の位置や観察方向を操作し、所望の位置で内視鏡１の観察像をモニタ１０にて観察する。
【００３７】
次に、術者が内視鏡１の観察下で処置等の作業を行うために、内視鏡１を内視鏡保持アーム１８に保持させて使用する場合は、術者はまず、固定ねじ１６をゆるめ、前述の内視鏡１に対するケーブル保持部１２の取り付け作業と逆の作業を行い、内視鏡１とケーブル保持部１２を分離する。この状態で図４に示すように、内視鏡１の硬性部３ｂを内視鏡保持アーム１８に周知のクランプ機構２５で固定する。この時、挿入部２の直管部３ａに対し略９０°の方向に屈曲した硬性部３ｂからケーブル部４が延出されているため、ケーブル部４は術部および手術用顕微鏡１１から遠ざかる方向に配置することができる。つまり、ケーブル部４が術部および手術用顕微鏡１１の観察視野内に侵入することが防止される。
【００３８】
この状態で、術者は手術用顕微鏡１１で内視鏡１の挿入部２近傍を観察しながら、内視鏡１もしくは、内視鏡保持アーム１８を保持し、内視鏡１の位置や観察方向を操作し、所望の位置で内視鏡保持アーム１８にて内視鏡１の位置を固定する。
【００３９】
さらに、術者は手術用顕微鏡１１で挿入部２の先端部近傍を観察しながら、図示しない処置具等を内視鏡１の挿入部２の先端近傍に誘導し、内視鏡１の観察像をモニタ１０にて観察しながら、内視鏡観察下で処置等の作業を行う。
【００４０】
また、内視鏡保持アーム１８による内視鏡１の固定部自体を術部からさらに遠ざける場合には、ケーブル保持部１２を図２（Ｂ）に示すようにＪ字状の屈曲部１３全体に内視鏡１の挿入部２における硬性部３ｂ全体を挿入させた第２の連結状態に取付ける。このとき、術者はケーブル保持部１２の取付溝１４にケーブル部４を挿入し、ケーブル部４を空間部１２ｂに配置する。続いて、図５に示すように、挿入部２の直管部３ａに対しケーブル保持部１２の向きを略９０°屈曲させた方向で、且つケーブル保持部１２の位置をＪ字状の屈曲部１３全体に内視鏡１の挿入部２における硬性部３ｂ全体を挿入させた位置に移動させる。この状態で、ケーブル保持部本体１２ａの２つのねじ穴１５ａ，１５ｂに外側から螺挿した固定ねじ１６をそれぞれ締め付けることにより、固定ねじ１６の先端部１６ａを硬性部３ｂの２つの取付穴７ａ，７ｂにそれぞれ嵌め込む。これにより、ケーブル保持部１２の屈曲部１３全体が内視鏡１の挿入部２における硬性部３ｂ全体に取付けられた第２の連結状態で内視鏡１とケーブル保持部１２とが固定される。
【００４１】
その後、ケーブル保持部１２の固定部２２に内視鏡保持アーム１８の周知のクランプ機構部２１を固定し、内視鏡１を含むケーブル保持部１２を内視鏡保持アーム１８に固定する。この時、ケーブル部４はケーブル保持部１２の空間部１２ｂに挿通され、ケーブル保持部１２の後端部から延出される。つまり、挿入部２の直管部３ａの軸方向に対し、略９０°の角度をなしてケーブル部４が延出される。この状態で、術者は手術用顕微鏡１１にて内視鏡１の挿入部２先端近傍を観察しながら、図示しない処置具等を内視鏡１の挿入部２の先端近傍に誘導し、内視鏡１の観察像をモニタ１０にて観察しながら、内視鏡観察下で処置等の作業を行う。
【００４２】
また、内視鏡１を術部から一旦退避させる場合には、術者は内視鏡保持アーム１８のクランプ機構部２１を操作してケーブル保持部１２を含む内視鏡１を内視鏡保持アーム１８から取外す。その後、ここで取外された内視鏡１の挿入部２を更に図６に示すように内視鏡保管器具２３に挿入する。この時、内視鏡１の挿入部２の先端の傾斜面２ａから出射されている照明光が、内視鏡保管器具２３の内底部の反射部２６により反射され、照明光か挿入部２の先端部に照射される。これにより、内視鏡１の挿入部２は照明光が持つ熱エネルギーにより加熱され、温度が上昇する。
【００４３】
次に、再び内視鏡１を術部へ挿入して使用する場合は、術者は内視鏡保管器具２３から内視鏡１の挿入部２を引き抜き、術部へ挿入部２を挿入する。このとき、内視鏡１の挿入部２は先端部の温度を上昇させた状態で術部へ挿入することができる。
【００４４】
そこで、上記構成のものにあっては次の効果を奏する。すなわち、本実施の形態では内視鏡１のケーブル部４の延出方向を少なくとも２つの方向に切換えるケーブル保持部１２を内視鏡１に対し、着脱可能に設けたので、ケーブル保持部１２の取付け位置を図２（Ａ）に示す第１の連結状態、或いは図２（Ｂ）に示す第２の連結状態のいずれかに変更するという簡単な作業で内視鏡１に対するケーブル部４の延出方向を変更することができる。そのため、顕微鏡下で内視鏡を使用する際に、術者が手で内視鏡１を持ちやすい形状と、顕微鏡観察や処置の際に邪魔にならない形状とに内視鏡１を変形させる作業を簡単に行うことができる。
【００４５】
また、内視鏡１を挿入部２の軸方向に対し屈曲させた硬性部３ｂを設け、且つケーブル部４を硬性部２から延出させた構成としたため、ケーブル保持部１２を使用せず、内視鏡１をそのまま使用した場合でも、ケーブル部４が手術用顕微鏡１１側に突出することがなく、手術用顕微鏡１１に干渉するおそれがなく、作業の邪魔にならない。
【００４６】
さらに、ケーブル保持部１２に内視鏡保持アーム１８などの固定具が取り付け可能な固定部２２を設けたため、前述のように、内視鏡１自体を直接に内視鏡保持アーム１８に取り付けた場合に比べ、内視鏡保持アーム１８自体を術部から遠くに配置することができる。そのため、内視鏡保持アーム１８を手術の邪魔にならない位置に移動できるばかりでなく、手術の作業空間を大きく確保することができる。
【００４７】
また、内視鏡保管器具２３に内視鏡１の挿入部２の先端の照明光出射端が配置された傾斜面２ａに略平行な反射部２６を設けたので、簡単・安価な構成で内視鏡１の挿入部２の先端部を保温することができる。そのため、内視鏡１が術部を照明する照明光の熱を用いて観察光学系を保温することができるので、内視鏡１の挿入部２を術部に挿入した際に、内視鏡１の挿入部２と術部との温度差によって生じる内視鏡の観察光学系の曇りを簡単、安価に防止できる。
【００４８】
また、図７乃至図１０は本発明の第２の実施の形態を示すものである。本実施の形態の内視鏡３１には、体内に挿入される硬質の挿入部３２が設けられている。この挿入部３２には細長い略直線状の直管部３３ａと、この直管部３３ａの後端に連結され、この直管部３３ａの軸方向に対し、略９０°の方向に屈曲された略円弧形状の屈曲部３３ｂとが設けられている。
【００４９】
また、挿入部３２の直管部３３ａの先端面３２ａには図示しない対物光学系や、術部Ｐに照明光を照射する図示しない照明光学系が配設されている。さらに、挿入部３２の内部には直管部３３ａの先端面３２ａの図示しない対物光学系からの観察像を伝達するイメージガイドファイバなどの像伝達手段及び挿入部３２の先端面３２ａの図示しない照明光学系に照明光を伝達するライトガイドファイバなどの照明光伝達手段を内蔵した可撓性を有するケーブル部３４が配設されている。このケーブル部３４の基端部側は、屈曲部３３ｂの後端側から外部側に延出されている。
【００５０】
また、挿入部３２の後端側には、後述するケーブル保持部４１が固定可能で、屈曲部３３ｂよりも大径な２つの固定部３５，３６が一体で設けられている。ここで、一方の第１の固定部３５は屈曲部３３ｂの後端部に配置され、他方の第２の固定部３６は屈曲部３３ｂの前端部に配置されている。
【００５１】
さらに、第１の固定部３５には先端部に先端側の径が徐々に小さくなり、屈曲部３３ｂの外径に滑らかに一致する先細状のテーパー部３７と、後端部に第１の固定部３５の外径より大きいフランジ部３８とがそれぞれ形成されている。そして、フランジ部３８が挿入部３２の後端、つまりケーブル部３４と挿入部３２との接続端に位置するように配置されている。
【００５２】
同様に、第２の固定部３６には後端部に後端側の径が徐々に小さくなり、屈曲部３３ｂの外径に滑らかに一致するテーパー部３９と、先端部に第２の固定部３６の外径より大きいフランジ部４０とがそれぞれ形成されている。そして、フランジ部４０が挿入部３２の直管部３３ａと屈曲部３３ｂとの接続端に位置するように配置されている。
【００５３】
また、本実施の形態の内視鏡３１には第１の実施の形態とは異なる構成のケーブル保持部４１が取り付けられている。このケーブル保持部４１には内視鏡３１のケーブル部３４およびフランジ部３８、４０の外径より大きな内径を有する略円筒形状のケーブル保持部本体４２と、バネ等の弾性部材で形成された略円筒形状の先端クランプ部４３と、ケーブル保持部本体４２と先端クランプ部４３との間を連結する略円弧形状の板状屈曲部４４とが一体的に設けられている。ここで、先端クランプ部４３には図８（Ａ）に示すように円形リング４３ａの一部が切欠されたスリット溝４３ｂがクランプ部４３の全長に渡り形成されている。これにより、先端クランプ部４３は略Ｃ字状に形成され、第１の固定部３５と第２の固定部３６との間で、回転・移動自在に配置されている。さらに、板状屈曲部４４は内視鏡３１の挿入部３２の屈曲部３３ｂと略同一な屈曲角度をなす形状に形成されている。
【００５４】
また、クランプ部４３の内径寸法は第１の固定部３５および第２の固定部３６の外径寸法よりも小さくなるように構成されている。そのため、図８（Ｂ）に示すように、第１の固定部３５（または第２の固定部３６）にクランプ部４３を挿入した際、クランプ部４３の弾性により、スリット溝４３ｂの幅が広がり、第１の固定部３５（または第２の固定部３６）にクランプ部４３が嵌着可能な構成となっている。
【００５５】
また、図９は本実施の形態における内視鏡保管器具（内視鏡保持手段）４５を示すものである。この内視鏡保管器具４５には有底筒状の保管器具本体４６が設けられている。この保管器具本体４５の一端面には内視鏡３１の挿入部３２が挿入可能な小径な開口部４７が形成されている。さらに、この保管器具本体４６の内底部には光反射手段である半円球形状を有する反射部４８が設けらている。そして、内視鏡保管器具４５に内視鏡３１の挿入部３２が挿入された際に内視鏡３１の挿入部３２の先端面３２ａの照明光出射端面が反射部４８の半円球形状の中心位置と離間対向する位置に配置されるようになっている。
【００５６】
次に、上記構成の本実施の形態の作用について説明する。まず、本実施の形態の内視鏡３１の使用時には予めケーブル保持部４１が挿入部３２の基端部に取り付けられる。そして、術者がケーブル保持部４１を含む内視鏡３１を手で把持して内視鏡３１の観察方向および位置を変更する場合には、図１０に示すように、内視鏡３１の挿入部３２の直管部３３ａの軸方向に対しケーブル保持部４１のケーブル保持部本体４２を略平行に移動させる。
【００５７】
続いて、クランプ部４３を挿入部３２の第１の固定部３５のテーパー部３７に沿って挿入する。このとき、クランプ部４３の弾性力によりクランプ部４３の内径寸法が第１の固定部３５の外径寸法と同径に弾性変形し、第１の固定部３５にクランプ部４３が圧入される。そして、クランプ部４３は第１の固定部３５に設けられたフランジ部３８に当接する位置まで挿入され、固定される。
【００５８】
この場合、ケーブル保持部本体４２に挿通されたケーブル部３４は、ケーブル保持部４１の後端部から挿入部３２の直管部３３ａの軸方向に沿って後方に延出されている。この状態で、術者は内視鏡３１に対し固定されたケーブル保持部本体４２を把持し、第１実施の形態と同様に、手術用顕微鏡１１で内視鏡３１の挿入部３２の先端部を観察しながら内視鏡３１の位置や観察方向を操作し、所望の位置で内視鏡３１の観察像をモニタ１０にて観察する。
【００５９】
また、術者が内視鏡３１の観察下で処置等の作業を行うために、内視鏡３１を内視鏡保持アーム１８（図４，５参照）に保持させて使用する場合には、図７に示すように、挿入部３２の直管部３３ａの軸方向に対し、略９０゜の角度をなすように、ケーブル保持部４１のケーブル保持部本体４２を移動させる。
【００６０】
続いて、クランプ部４３を第２の固定部３６に挿入し、クランプ部４３を弾性変形させて第２の固定部３６に嵌着させることで、第２の固定部３６に対しクランプ部４３を固定させる。この時、ケーブル保持部本体４２に挿通されたケーブル部３４は、ケーブル保持部４１の後端部から挿入部３２の直管部３３ａの軸方向に対し略９０゜の方向に延出される。この状態で術者は内視鏡３１の位置や観察方向を操作し、所望の位置で内視鏡保持アーム１８にて内視鏡３１の位置を固定する。このとき、第１実施の形態と同様に、ケーブル保持部本体４２の後端に内視鏡保持アーム１８の周知のクランプ機構部２１を固定する。
【００６１】
さらに、術者は手術用顕微鏡１１を観察しながら、図示しない処置具等を内視鏡３１の挿入部３２の先端部に誘導し、内視鏡３１の観察像をモニタ１０にて観察しながら、内視鏡観察下で処置等の作業を行う。
【００６２】
また、内視鏡３１を術部から一旦退避させる場合には、術者は内視鏡保持アーム１８のクランプ機構部２１を操作してケーブル保持部４１を含む内視鏡３１を内視鏡保持アーム１８から取外す。その後、術者はここで取外された内視鏡３１の挿入部３２を内視鏡保管器具４５に挿入する。この時、内視鏡３１の挿入部３２の先端面３２ａの照明光出射端部から放射状に出射される照明光が、内視鏡保管器具４５の半球状の反射部４８により反射される。この反射部４８は内視鏡３１の挿入部３２の先端面３２ａの照明光出射端部の位置を中心とする半円球形状を有しているため、反射部４８により反射された照明光が内視鏡３１の挿入部３２の先端部の周囲に照射される。そのため、内視鏡３１の挿入部３２の先端部の周囲は照明光が持つ熱エネルギーにより加熱され、温度が上昇する。
【００６３】
次に、再び内視鏡３１を術部へ挿入し使用する場合は、術者は内視鏡保管器具４５から内視鏡３１の挿入部３２を抜き取り、挿入部３２の先端部の温度が上昇した状態で術部へ挿入部３２を挿入する。
【００６４】
そこで、本実施の形態では、内視鏡３１のケーブル部３４の延出方向を少なくとも２つの方向に切換えるケーブル保持部４１を内視鏡３１に対し、移動・固定可能に取付けたので、内視鏡３１に対するケーブル部３４の延出方向を変更する際、ケーブル保持部４１の固定位置を変更するだけで手術中に容易かつ素早く行うことができる効果がある。
【００６５】
また、弾性部材で形成されたクランプ部４３をケーブル保持部４１に一体に設け、クランプ部４３の弾性力で内視鏡３１に対し、ケーブル保持部４１を固定可能な構成としたため、固定ねじ等の固定手段が不要であり、容易に内視鏡３１に対しケーブル保持部４１を固定できる。
【００６６】
さらに、内視鏡保持手段４３に挿入部３２の先端部３２ａの照明光出射部の位置を中心とした半円球形状を有する反射部４８を設けたため、照明光出射部から放射状に出射される照明光を無駄なく内視鏡３１の挿入部３２の先端部３２ａの周辺部位に反射することができる。そのため、反射部４８からの反射光を内視鏡３１の挿入部３２の先端部３２ａの周辺部位に集光する集光効率が上がり、短時間で内視鏡３１の挿入部３２先端部の温度を上昇させることができる。
【００６７】
また、図１１乃至図１５は本発明の第３の実施の形態を示すものである。本実施の形態の内視鏡５１には、体内に挿入される挿入部５２が設けられている。この挿入部５２には細長い略直線状の硬質の直管部５３ａと、この直管部５３ａの後端に連結されたフレキシブルな蛇管部５３ｂとが設けられている。
【００６８】
また、挿入部５２の直管部５３ａの先端面５２ａには図示しない対物光学系や、術部Ｐに照明光を照射する図示しない照明光学系が配設されている。さらに、挿入部５２の内部には直管部５３ａの先端面５２ａの図示しない対物光学系からの観察像を伝達するイメージガイドファイバなどの像伝達手段及び挿入部５２の先端面５２ａの図示しない照明光学系に照明光を伝達するライトガイドファイバなどの照明光伝達手段を内蔵した可撓性を有するケーブル部５４が配設されている。このケーブル部５４の基端部側は、蛇管部５３ｂの後端側から外部側に延出されている。そして、このケーブル部５４の基端部側の延出端部には後述する手術用顕微鏡５６に光学的に接続可能な接続コネクタ５５が配設されている。
【００６９】
また、手術用顕微鏡５６は例えば特願２０００−１３０５５号に示されるように構成され、図示しない接眼光学系を内蔵する接眼部５６ａと、対物光学系５６ｂと、変倍光学系とを備えている。この手術用顕微鏡５６には撮像・照明ユニット５７が一体的に設けられている。
【００７０】
さらに、この手術用顕微鏡５６には内視鏡５１の観察像を撮像する図示しない撮像手段および術部Ｐに照明光を供給する図示しない照明光供給手段が内蔵されている。そして、接続コネクタ５５により、内視鏡５１の図示しないイメージガイドケーブルなどの像伝達手段と撮像手段との間、内視鏡５１のライトガイドケーブルなどの照明光伝達手段と照明光供給手段との間がそれぞれ接続可能な構成となっている。また、手術用顕微鏡５６の撮像手段は、モニタなどの観察手段に電気的に接続されている。
【００７１】
また、手術用顕微鏡５６の鏡体５８の側面には複数のケーブルフック５９が設けられている。これらのケーブルフック５９は内視鏡５１のケーブル部５４が保持可能な形状に形成されている。
【００７２】
また、図１２は、本実施の形態における内視鏡５１のケーブル保持部である蛇管部５３ｂの構成を示すものである。この蛇管部５３ｂには軸方向に沿って複数の駒体６０が並設されている。各駒体６０の一端には球凸面６０ａ、他端には球凹面６０ｂが形成されている。さらに、各駒体６０の軸心部には球凸面６０ａおよび球凹面６０ｂに至るケーブル挿通穴６１が形成されている。各駒体６０のケーブル挿通穴６１には内視鏡５１のケーブル部５４が挿通されている。そして、前後に隣接する各駒体６０間は球凸面６０ａと球凹面６０ｂとが互いに接触する向きに並設された状態でそれぞれ回動可能に連結されている。
【００７３】
また、挿入部５２の直管部５３ａの基端部には蛇管部５３ｂの最先端の駒体６０の球凸面６０ａに接触する球凹部６２が配設されている。さらに、ケーブル部５４の中途部には雄ねじ部６３が固定されている。この雄ねじ部６３には固定リング６４の軸心部に形成されたねじ穴部６５が螺合されている。この固定リング６４には最後端の駒体６０の球凹面６０ｂに接触する球面部６６が形成されている。
【００７４】
また、図１３は本実施の形態における内視鏡保管器具（内視鏡保持手段）６７を示すものである。この内視鏡保管器具６７には有底筒状の保管器具本体６８が設けられている。この保管器具本体６８の一端面には内視鏡５１の挿入部５２が挿入可能な小径な開口部６９が形成されている。さらに、この保管器具本体６８の内底部にはミラー等の反射部７０と、集光レンズ７１とが配設されている。そして、内視鏡保管器具６７に内視鏡５１の挿入部５２が挿入された際に内視鏡５１の挿入部５２の先端面５２ａの照明光出射端部からの照明光を集光レンズ７１を経て反射部７０に送り、さらにミラー等の反射部７０で反射する光を集光レンズ７１によって内視鏡５１の挿入部５２の先端面５２ａの周囲部に集光させるようになっている。
【００７５】
さらに、内視鏡保管器具６７には手術用顕微鏡５６の鏡体５８に取付ける取付部７２が設けられている。ここで、手術用顕微鏡５６の鏡体５８には外付け器具の装着部７３が形成されている。そして、内視鏡保管器具６７の取付部７２は手術用顕微鏡５６の外付け器具装着部７３に着脱可能に取付けられている。
【００７６】
次に、上記構成の本実施の形態の作用について説明する。まず、本実施の形態の内視鏡５１の使用時に術者が蛇管部５３ｂを含む内視鏡５１を手で把持して内視鏡５１の観察方向および位置を変更する場合は、固定リング６４を緩め、この固定リング６４を図１２中で矢印Ａに示す後端方向に移動させる。これにより、蛇管部５３ｂを構成する各駒体６０の球凸面６０ａと、球凹面６０ｂと、挿入部５２の後端の球凹部６２と、固定リング６４の球面部６６との間の各接触部の摩擦係合が解除され、各駒体６０は自由に移動可能となる。この状態で、術者は図１１に示すように蛇管部５３ｂを挿入部５２の直管部５３ａと略平行となるように変形させる。
【００７７】
また、蛇管部５３ｂを所望の形状に変形させたのち、固定リング６４を締め付け、図１２中で矢印Ｂに示す先端方向に固定リング６４を移動させる。これにより、蛇管部５３ｂを構成する各駒体６０の接合面同士が圧接され、各接触部の摩擦係合によって蛇管部５３ｂの形状が保持される。この状態で、術者は内視鏡５１もしくは蛇管部５３ｂを把持し、第１および第２実施の形態と同様に、手術用顕微鏡５６で内視鏡５１の挿入部５２の先端部を観察しながら内視鏡５１の位置や観察方向を操作し、所望の位置で内視鏡５１の観察像をモニタにて観察する。
【００７８】
次に、術者が内視鏡５１の観察下で処置等の作業を行うために、第１および第２実施の形態と同様に内視鏡５１を内視鏡保持アーム１８（図４，５参照）に保持させて使用する場合には、上述と同様に、固定リング６４を緩め、図１２に示すように挿入部５２の直管部５３ａの軸方向に対し、略９０゜の角度をなすように蛇管部５３ｂを変形させた後、固定リング６４を締め込み、蛇管部５３ｂの形状を保持させる。
【００７９】
この状態で、術者は内視鏡５１の位置や観察方向を操作し、所望の位置で内視鏡保持アーム１８にて内視鏡５１の位置を固定する。このとき、第１、第２実施の形態と同様に、蛇管部５３ｂの後端に内視鏡保持アーム１８の周知のクランプ機構部２１を固定する。
【００８０】
さらに、術者は手術用顕微鏡５６を観察しながら、図示しない処置具等を内視鏡５１の挿入部５２の先端部に誘導し、内視鏡５１の観察像をモニタにて観察しながら、内視鏡観察下で処置等の作業を行う。
【００８１】
また、図１４（Ａ），（Ｂ）に示すように、内視鏡５１の挿入部５２の直管部５３ａの軸方向Ｏに対して異なる観察角度αを有する複数の内視鏡５１を使用する場合には、挿入部５２の直管部５３ａの軸方向Ｏに対する蛇管部５３ｂの湾曲角度を次の通り調整する。すなわち、図１４（Ａ）に示すように、内視鏡５１の挿入部５２の直管部５３ａの軸方向Ｏに対して観察方向が斜め方向になる斜視型の内視鏡５１Ａを使用する場合、或いは図１４（Ａ）に示すように、内視鏡５１の挿入部５２の直管部５３ａの軸方向Ｏに対して観察方向が同方向になる直視型の内視鏡５１Ｂを使用する場合には、内視鏡５１の術部Ｐに対する観察角度αに応じて、内視鏡５１の挿入部５２の直管部５３ａの軸方向Ｏに対する蛇管部５３ｂの角度βを図１４（Ａ），（Ｂ）に示すように術部Ｐに対しケーブル部５４の延出方向が略平行となるように調整する。
【００８２】
また、内視鏡５１を術部から一旦退避させる場合には、術者は内視鏡保持アーム１８のクランプ機構部２１を操作して内視鏡５１を内視鏡保持アーム１８から取外す。その後、術者はここで取外された内視鏡５１の挿入部５２を内視鏡保管器具６７に挿入する。この時、内視鏡５１の挿入部５２の先端面５２ａの照明光出射端部から放射状に出射される照明光が、内視鏡保管器具６７の集光レンズ７１を通過し、略平行に反射部７０に出射される。この反射部７０により反射された光は、集光レンズ７１により、内視鏡５１の挿入部５２の先端面５２ａの照明光出射端部の近傍部位に集光される。この時、挿入部５２の先端面５２ａの照明光出射端部の近傍部位は照明光が持つ熱エネルギーにより加熱され、温度が上昇する。
【００８３】
次に、再び内視鏡５１を術部へ挿入し使用する場合は、術者が内視鏡保管器具６７から内視鏡５１の挿入部５２を抜き取り、挿入部５２の先端部の温度が上昇した状態で術部へ挿入部５２を挿入する。
【００８４】
また、手術用顕微鏡５６の観察下で内視鏡５１を使用する場合、図１５に示すように、手術用顕微鏡５６のケーブルフック５９にケーブル部５４を引っ掛け、術者がケーブル部５４の長さ、位置を規制して使用する。
【００８５】
そこで、上記構成のものにあっては次の効果を奏する。すなわち、本実施の形態では、挿入部５２の直管部５３ａの軸方向に対し内視鏡５１のケーブル部５４を任意の方向に向けて固定保持可能な蛇管部５３ｂを設けたため、術者はケーブル部５４の延出方向を任意の方向に変更することができる。そのため、様々な手術状況に応じて自由に内視鏡５１を使用できる。
【００８６】
また、図１４（Ａ），（Ｂ）に示すように、内視鏡５１の挿入部５２の直管部５３ａの軸方向Ｏに対して異なる観察角度αを有する複数の内視鏡５１を使用する場合でも、術部Ｐに挿入する内視鏡５１Ａ，５１Ｂの角度αに応じて、ケーブル部５４の延出方向の微妙な調整が可能であるため、常に、ケーブル部５４が手術の邪魔にならない位置に延出できる。
【００８７】
また、内視鏡保管器具６７に集光レンズ７１を設けたため、内視鏡５１の照明光を内視鏡５１の挿入部５２の先端面５２ａの照明光出射端部に集光して照射できる。そのため、内視鏡５１の挿入部５２の先端部の温度を短時間で上げることができ、直ぐに内視鏡５１が使用できる。
【００８８】
また、内視鏡保管器具６７に顕微鏡５６の鏡体５８の外付け器具装着部７３に着脱可能な取付部７２を設けたため、直ぐに内視鏡保管器具６７に内視鏡５１を挿入することが可能であり、また使用時には直ぐに使用することができる。
【００８９】
さらに、手術用顕微鏡５６にケーブルフック５９を設けたため、ケーブル部５４の長さ、位置を術者が所望する状態に設定できる。そのため、ケーブル部５４が手術の邪魔になることを防止できる効果がある。
【００９０】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  硬性の挿入部と、挿入部の後端から延出されるケーブル部を有する内視鏡において、前記挿入部と係合し、前記ケーブル部を指向可能なケーブル保持手段を設けたことを特徴とする内視鏡。
【００９１】
（付記項２）  内視鏡の挿入部を保持し、前記内視鏡から射出される照明光を挿入部先端に設けられた照明光出射端部に指向する光反射手段を有したことを特徴とする内視鏡保持手段。
【００９２】
（付記項３）  硬性の挿入部と、挿入部の後端から延出され、前記内視鏡の挿入部先端から挿通される像伝達手段と照明光伝達手段を内蔵するケーブル部を有する内視鏡において、前記挿入部に固定され、挿入部に対し少なくとも２方向に前記ケーブル部を指向可能なケーブル保持手段を設けたことを特徴とする内視鏡。
【００９３】
（付記項４）  前記ケーブル保持手段は、前記挿入部に対し、略９０°方向と略平行方向にケーブル部を延出することを特徴とする付記項１または３に記載の内視鏡。
【００９４】
（付記項５）  前記ケーブル保持手段が前記挿入部に対して着脱自在であることを特徴とする付記項１または３、４に記載の内視鏡。
【００９５】
（付記項６）  前記ケーブル保持手段が前記内視鏡に対し一体的に設けられていることを特徴とする付記項１または３、４に記載の内視鏡。
【００９６】
（付記項７）  前記ケーブル保持手段の一部が弾性部材で構成されていることを特徴とする付記項６に記載の内視鏡。
【００９７】
（付記項８）  前記ケーブル保持手段は、前記内視鏡に対しケーブル部の延出方向が任意の方向に変更可能であることを特徴とする付記項６に記載の内視鏡。
【００９８】
（付記項９）  前記内視鏡に挿入部の挿入軸方向に対し略９０°の屈曲部を設けたことを特徴とする付記項１または３、４、５に記載の内視鏡。
【００９９】
（付記項１０）  前記ケーブル保持手段は、前記挿入部に対する取付け方向を変更することができることを特徴とする付記項１または３、４、５に記載の内視鏡。
【０１００】
（付記項１１）  前記保持手段に集光手段を設けたことを特徴とする付記項２に記載の内視鏡保持手段。
【０１０１】
（付記項１２）  前記保持手段に集光光学系を設けたことを特徴とする付記項２に記載の内視鏡保持手段。
【０１０２】
（付記項１３）  前記保持手段に手術用顕微鏡に取付可能な取付部を設けたことを特徴とする付記項２に記載の内視鏡保持手段。
【０１０３】
（付記項１の従来技術）  （１）特開平１１−１５５７９８号公報、（２）特願２０００−３２２６９号。従来、特に脳神経外科などでは、手術用顕微鏡を用いて術部を拡大観察しながら微細手術を行う。
【０１０４】
近年、手術用顕微鏡では観察できない死角部分を内視鏡で観察しながら処置を行う術式が普及してきた。このような場合、顕微鏡での観察下において内視鏡を使用する。内視鏡は術者が手で保持し、顕微鏡観察下で術部へ誘導したり、内視鏡での観察部位を変更する操作を行う。また、内視鏡保持アームなどの内視鏡固定具により内視鏡を保持固定し、顕微鏡観察下で処置具等を術部へ誘導した後、顕微鏡では観察できない死角部位を内視鏡観察下で処置を行う。
【０１０５】
（１）は内視鏡の挿入部に対し、交差した第２のリレー光学系を設け、全体形状が屈曲した構成としているため、顕微鏡下で内視鏡を操作する際に、顕微鏡に干渉しにくく、また顕微鏡の視野を妨げない。
【０１０６】
（２）は内視鏡に内視鏡保持アームなどの内視鏡固定具が取り付け可能な固定部を設け、前記固定部に術者が内視鏡を手で把持する把持具を着脱自在な構成としたため、術者が内視鏡を手で操作する場合には把持具を装着することで持ちやすい形状となる。また、内視鏡固定具に内視鏡を固定する場合は、把持具を内視鏡から外し、内視鏡固定具を固定部に取り付けることで内視鏡固定具に固定した場合、顕微鏡に干渉しにくく顕微鏡操作の邪魔にならない。
【０１０７】
（付記項２の従来技術）
（３）特開平８−１３６８３１号公報、（４）特開昭５７−１１７８２１号公報。内視鏡を術部へ挿入する際、挿入する術部（温度高い）と挿入部（温度低い）との温度差により、雰囲気中の水蒸気が挿入部に設けられた観察光学系に付着し曇りが発生し、観察に支障をきたす。
【０１０８】
（３）は術部へ照明光を導く第１のライトガイドと、前記第１のライトガイドとは別に、内視鏡の挿入部先端部材まで、照明光の一部を導く第２のライトガイドを設けたため、前記第２のライトガイドの照明光により先端部材が加温され、術部と内視鏡の温度差による観察光学系の曇りが防止できる。
【０１０９】
（４）は内視鏡の挿入部が挿入可能な保温装置であり、前記保温装置には挿入部を電気的に保温する保温部材を有しており、前記保温装置に内視鏡の挿入部を挿入することにより、挿入部が保温され、術部と内視鏡の温度差による観察光学系の曇りが防止できる。
【０１１０】
（付記項１〜１３が解決しようとする課題）  顕微鏡下で内視鏡を操作する場合には、従来技術で示したように、内視鏡を術者が手で把持して、顕微鏡観察下で術部へ誘導する。また、内視鏡保持アームなどの内視鏡固定具に内視鏡を保持固定し、顕微鏡観察下で処置具等を術部へ誘導した後、内視鏡観察下で処置を行う。従って、内視鏡を術部へ誘導する際には、術者が手で把持しやすく、また処置等をする際には、術部での操作の邪魔にならない必要がある。
【０１１１】
先行例（１）では、術者が内視鏡の観察方向を変更する場合、術者が被把持部を保持して内視鏡の挿入軸回りに内視鏡を回転させる。しかし、前述の内視鏡では、被把持部が挿入部に対し異なる方向で、且つ離れた位置に設けられているため、術者が観察方向を変更するには、被把持部を挿入軸回りに大きく回転させる必要があり操作しにくいものであった。また、様々な手術機器が用いられる手術室では、患者に対する術者の位置も制限される場合も多く、観察方向を変更する度に把持部の位置が大きく変わることは、把持部自体が手術の邪魔になり、手術の効率を落としていた。
【０１１２】
先行例（２）は上記問題を解決し、術者が内視鏡を手で把持して使用する際に使用する、把持部を内視鏡に着脱自在に設けたため、内視鏡を保持し観察方向を変更する場合の操作性は改善されている。また、内視鏡保持アームなどの内視鏡保持具に保持する際には把持部を外し、顕微鏡側への突出を最小限にすることで、顕微鏡下で使用した場合でも、顕微鏡に干渉しにくく、且つ操作性が良い。しかし、先行例（２）では、把持部を外した状態でも、挿入部に対し、ケーブル部の突出方向が略平行である構成のため、常にケーブル部が顕微鏡側に突出してしまうので、ケーブル部が顕微鏡に干渉して顕微鏡の操作を妨げたりするおそれがある。さらに、内視鏡固定具などに内視鏡を固定して、顕微鏡観察下で内視鏡の挿入部近傍から、前記内視鏡の挿入部先端まで処置具等を術部に導く場合には、術者は常にケーブル部を避けながら処置具等を操作する必要があり、操作が行いにくいばかりでなく術者の疲労を増大させていた。また、内視鏡観察下で処置等の作業をする場合も、常にケーブル部の位置が安定しないため、術者は手術作業中にケーブル部が手に引っかかるおそれがないかを注意して作業をする必要があり、手術時間の延長を招いていた。
【０１１３】
先行例（３）は、内視鏡自体に挿入部先端部材を保温する保温機能を設けているため、専用の内視鏡を作成する必要があり、内視鏡自体が高価となる。また、通常の手術では、挿入方向に対して観察方向が異なる内視鏡（つまり斜視方向が異なる内視鏡）を数種類用いるが、その全てに保温機能を付ける必要があり、システムとしても非常に高価となってしまう。
【０１１４】
先行例（４）では、前記先行例（３）の問題は解決しているが、内視鏡の挿入部を保温するための専用装置が必要となり、システムとして高価となってしまう。
【０１１５】
（付記項１〜１３の目的）  顕微鏡下で使用される内視鏡において、術者が手で内視鏡を保持し内視鏡を操作する場合には持ち易くて操作がし易く、また、内視鏡固定アームなどの内視鏡保持具に内視鏡を固定して処置等の作業を行う場合には、顕微鏡の観察や処置等の作業の邪魔にならない内視鏡を、簡単な構成で且つ安価に提供することである。
【０１１６】
また、内視鏡を術部に挿入した際に、内視鏡と術部の温度差によって生じる内視鏡の観察光学系の曇りを、内視鏡が術部を照明する照明光の熱を用いて、簡単、安価に観察光学系を保温し、防止できる内視鏡システムを提供することである。
【０１１７】
（付記項１の作用）  内視鏡の挿入部に、ケーブル部の形状を保持固定可能なケーブル保持部を固定し、前記挿入部から延出されるケーブル部を前記挿入部の挿入軸に対し略平行に延出させる。また、挿入部にケーブル保持部を前記固定方向と異なる方向で固定し、ケーブル部を前記挿入部の挿入軸に対し、異なる方向に延出させる。
【０１１８】
（付記項２の作用）  内視鏡の挿入部を保持手段に固定し、前記内視鏡からの照明光が前記保持手段に設けられた光反射手段により、前記内視鏡の挿入部先端に反射され、挿入部先端が保温される。
【０１１９】
（付記項１〜１３の効果）  本発明によれば、内視鏡の挿入方向に対して、少なくとも２つの方向に前記内視鏡から延出されるケーブル部の方向を変更可能なケーブル保持手段を設けたため、内視鏡を手で把持して使用する場合には把持しやすい形状で、且つ内視鏡保持アームなどの固定具に内視鏡を保持して使用する場合には、手術の邪魔にならない内視鏡を提供することができる。
【０１２０】
また、内視鏡の照明光を反射し、内視鏡の挿入部先端の温度を上昇させる内視鏡保管手段を設けるといった、簡単、安価な構成によって、曇りがない内視鏡観察が可能となる。
【０１２１】
【発明の効果】
本発明によれば、顕微鏡下で内視鏡を使用する際に、操作がし易い内視鏡を提供できる。
【図面の簡単な説明】
【図１】  本発明の第１の実施の形態の内視鏡のシステム全体を示す概略構成図。
【図２】  第１の実施の形態の内視鏡を顕微鏡の観察下で使用している状態を示すもので、（Ａ）は内視鏡の挿入部の軸方向に対しケーブル部を略平行に延出させる状態にケーブル保持部を取り付けた状態を示す縦断面図、（Ｂ）は内視鏡の挿入部の軸方向に対しケーブル部を略９０°の方向に屈曲させる状態にケーブル保持部を取り付けた状態を示す縦断面図。
【図３】  （Ａ）は図２（Ａ）の３Ａ−３Ａ線断面図、（Ｂ）は図２（Ａ）の３Ｂ−３Ｂ線断面図。
【図４】  第１の実施の形態の内視鏡を内視鏡保持アームに固定した状態を示す斜視図。
【図５】  第１の実施の形態の内視鏡をケーブル保持部を介して内視鏡保持アームに固定した状態を示す斜視図。
【図６】  第１の実施の形態の内視鏡を内視鏡保管器具に挿入した状態を示す縦断面図。
【図７】  本発明の第２の実施の形態の内視鏡のシステムの要部の概略構成図。
【図８】  第２の実施の形態の内視鏡のケーブル保持部の構成を示すもので、（Ａ）はケーブル保持部のクランプ部の断面形状を示す縦断面図、（Ｂ）はケーブル保持部のクランプ部に内視鏡の挿入部の固定部が挿入されて固定された状態を示す縦断面図。
【図９】  第２の実施の形態の内視鏡を内視鏡保管器具に挿入した状態を示す縦断面図。
【図１０】  第２の実施の形態の内視鏡の挿入部の軸方向に対しケーブル保持部の保持部を略平行に移動させた状態を示す図。
【図１１】  本発明の第３の実施の形態の内視鏡のシステムの要部の概略構成図。
【図１２】  第３の実施の形態の内視鏡におけるケーブル保持部の蛇管部の構成を示す縦断面図。
【図１３】  第３の実施の形態の内視鏡を内視鏡保管器具に挿入した状態を示す縦断面図。
【図１４】  （Ａ）は斜視型の内視鏡を使用している状態を示す要部の側面図、（Ｂ）は直視型の内視鏡を使用している状態を示す要部の側面図。
【図１５】  第３の実施の形態の内視鏡のケーブル部を手術用顕微鏡のケーブルフックに引っ掛けた状態を示す内視鏡のシステム全体の概略構成図。
【符号の説明】
１    内視鏡
２    挿入部
４    ケーブル部
１２    ケーブル保持部（ケーブル保持手段）
２３    内視鏡保管器具（内視鏡保持手段）
２６    反射部（光反射手段）
【図１】
0004827342.tif 000002
【図２】
0004827342.tif 000003
【図３】
0004827342.tif 000004
【図４】
0004827342.tif 000005
【図５】
0004827342.tif 000006
【図６】
0004827342.tif 000007
【図７】
0004827342.tif 000008
【図８】
0004827342.tif 000009
【図９】
0004827342.tif 000010
【図１０】
0004827342.tif 000011
【図１１】
0004827342.tif 000012
【図１２】
0004827342.tif 000013
【図１３】
0004827342.tif 000014
【図１４】
0004827342.tif 000015
【図１５】
0004827342.tif 000016